(57)【要約】【課題】注文者の満足度が低くなることを防止することが可能であり、かつ、営業所の訪問及び打ち合わせにかかる時間やコストを低減することが可能である印刷面データ作成システムを提供する。【解決手段】２以上の結婚式関連ペーパーアイテムにおける印刷面のデータを作成する印刷面データ作成システムであって、互いにデータ通信が可能な注文者コンピューター１及び受注者サーバー２を含み、注文者コンピューターは、第１送受信手段１０と、表示手段１２と、操作手段１４とを備え、受注者サーバー２は、第２送受信手段２０と、第１基本レイアウト記憶手段２２と、第１印刷面データ作成手段２４と、第１格納手段２６と、第２基本レイアウト記憶手段２８と、第２印刷面データ作成手段３０と、第２格納手段３２とを備えることを特徴とする印刷面データ作成システム。【選択図】図１
2018092268.tif 000002
【特許請求の範囲】
【請求項１】
２以上の結婚式関連ペーパーアイテムにおける印刷面のデータを作成する印刷面データ作成システムであって、
前記印刷面データ作成システムは、互いにデータ通信が可能な注文者コンピューター及び受注者サーバーを含み、
前記注文者コンピューターは、
前記受注者サーバーと情報のやり取りを行うための第１送受信手段と、
前記受注者サーバーから提示された情報を表示する表示手段と、
注文者が操作を行うための操作手段とを備え、
前記受注者サーバーは、
前記２以上の結婚式関連ペーパーアイテム間で共有される文字又は画像を共有表示要素とするとき、
前記注文者コンピューターと情報のやり取りを行うための第２送受信手段と、
前記２以上の結婚式関連ペーパーアイテムのうち第１のペーパーアイテムにおける第１基本レイアウトであって前記共有表示要素が表示される第１領域を少なくとも有するものを記憶する第１基本レイアウト記憶手段と、
前記第１基本レイアウトを前記注文者に提示し、少なくとも前記共有表示要素を前記注文者に入力させることで前記第１基本レイアウトから第１印刷面データを作成する第１印刷面データ作成手段と、
前記第１印刷面データ作成手段で作成された前記第１印刷面データ及び前記共有表示要素を格納する第１格納手段と、
前記２以上の結婚式関連ペーパーアイテムのうち第２のペーパーアイテムにおける第２基本レイアウトであって前記共有表示要素に対応した文字又は画像が表示される第２領域を少なくとも有するものを記憶する第２基本レイアウト記憶手段と、
前記第２領域に前記共有表示要素を表示した上で前記第２基本レイアウトを前記注文者に提示し、少なくとも前記第２領域に表示された前記共有表示要素を前記注文者に確認させることで第２印刷面データを作成する第２印刷面データ作成手段と、
前記第２印刷面データ作成手段で作成された前記第２印刷面データを格納する第２格納手段とを備えることを特徴とする印刷面データ作成システム。
【請求項２】
請求項１に記載の印刷面データ作成システムにおいて、
前記受注者サーバーは、前記第１印刷面データ及び前記第２印刷面データのうち少なくとも一方に対応した出来上がりイメージを前記注文者コンピューターに表示させることで、前記注文者に前記印刷面の確認を促す印刷面確認手段をさらに備えることを特徴とする印刷面データ作成システム。
【請求項３】
請求項１又は２に記載の印刷面データ作成システムにおいて、
前記第１のペーパーアイテムは席次表であり、
前記第１領域に表示させる共有表示要素は、出席者の氏名であることを特徴とする印刷面データ作成システム。
【請求項４】
請求項３に記載の印刷面データ作成システムにおいて、
前記第１領域は、前記席次表における卓の配置に対応して、前記卓ごとに分割されていることを特徴とする印刷面データ作成システム。
【請求項５】
請求項４に記載の印刷面データ作成システムにおいて、
前記第１基本レイアウトは、前記卓の配置を決定する情報が入力される卓配置情報入力領域をさらに有し、
前記第１印刷面データ作成手段は、前記卓配置情報入力領域に前記卓の配置を決定する情報を前記注文者に入力させることを特徴とする印刷面データ作成システム。
【請求項６】
請求項５に記載の印刷面データ作成システムにおいて、
前記第１印刷面データ作成手段では、まず、前記卓配置情報入力領域に１つの列又は１つの行における前記卓の最大数を前記注文者に入力させ、その後、前記卓配置情報入力領域にそれぞれの列又はそれぞれの行ごとの前記卓の数を前記注文者に入力させることを特徴とする印刷面データ作成システム。
【請求項７】
請求項３〜６のいずれかに記載の印刷面データ作成システムにおいて、
前記第２のペーパーアイテムは席札であることを特徴とする印刷面データ作成システム。
【請求項８】
請求項２に記載の印刷面データ作成システムにおいて、
前記第１のペーパーアイテムは席次表であり、
前記第１領域に表示させる共有表示要素は、出席者の氏名であり、
前記第１領域は、前記席次表における卓の配置に対応して、前記卓ごとに分割されており、
前記第１基本レイアウトは、
前記卓の配置を決定する情報が入力される卓配置情報入力領域と、
前記第１領域に表示する共有表示要素が入力される共有表示要素入力領域と、
前記注文者が前記第１印刷面データ及び前記共有表示要素を前記第１格納手段に格納したい場合に前記注文者によって選択される領域である保存領域と、
前記注文者が前記印刷面確認手段により前記第１印刷面データから構成された印刷面の出来上がりイメージを表示したい場合に、前記注文者によって選択される領域であるプレビュー表示領域とをさらに有し、
前記卓配置情報入力領域、前記共有表示要素入力領域、前記保存領域及び前記プレビュー表示領域は、この順序で縦列又は横列に配置されていることを特徴とする印刷面データ作成システム。
【請求項９】
２以上の結婚式関連ペーパーアイテムにおける印刷面のデータを作成する印刷面データ作成システムを用いた印刷面データ作成方法であって、
前記２以上の結婚式関連ペーパーアイテム間で共有される文字又は画像を共有表示要素とするとき、
前記受注者サーバーに記憶された、前記２以上の結婚式関連ペーパーアイテムのうち第１のペーパーアイテムにおける第１基本レイアウトであって前記共有表示要素が表示される第１領域を少なくとも有するものを前記注文者コンピューターに表示して前記注文者に提示し、少なくとも前記共有表示要素を前記注文者に入力させることで前記第１基本レイアウトから第１印刷面データを作成する第１工程と、
前記第１工程で作成された前記第１印刷面データ及び前記共有表示要素を前記受注者サーバーに格納する第２工程と、
前記受注者サーバーに記憶された、前記２以上の結婚式関連ペーパーアイテムのうち第２のペーパーアイテムにおける第２基本レイアウトであって前記共有表示要素に対応した文字又は画像が入力される第２領域を少なくとも有するものを、前記第２領域に前記共有表示要素を入力した上で前記注文者に提示し、少なくとも前記第２領域に入力された前記共有表示要素を前記注文者に確認させることで第２印刷面データを作成する第３工程と、
前記第３工程で作成された前記第２印刷面データを前記受注者サーバーに格納する第４工程とをこの順序で含むことを特徴とする印刷面データ作成方法。
【請求項１０】
２以上の結婚式関連ペーパーアイテムにおける印刷面のデータを作成する印刷面データ作成システムに用いるための受注者サーバーであって、
前記２以上の結婚式関連ペーパーアイテム間で共有される文字又は画像を共有表示要素とするとき、
前記注文者コンピューターと情報のやり取りを行うための第２送受信手段と、
前記２以上の結婚式関連ペーパーアイテムのうち第１のペーパーアイテムにおける第１基本レイアウトであって前記共有表示要素が表示される第１領域を少なくとも有するものを記憶する第１基本レイアウト記憶手段と、
前記第１基本レイアウトを前記注文者に提示し、少なくとも前記共有表示要素を前記注文者に入力させることで前記第１基本レイアウトから第１印刷面データを作成する第１印刷面データ作成手段と、
前記第１印刷面データ作成手段で作成された前記第１印刷面データ及び前記共有表示要素を格納する第１格納手段と、
前記２以上の結婚式関連ペーパーアイテムのうち第２のペーパーアイテムにおける第２基本レイアウトであって前記共有表示要素に対応した文字又は画像が入力される第２領域を少なくとも有するものを記憶する第２基本レイアウト記憶手段と、
前記第２領域に前記共有表示要素を入力した上で前記第２基本レイアウトを前記注文者に提示し、少なくとも前記第２領域に入力された前記共有表示要素を前記注文者に確認させることで第２印刷面データを作成する第２印刷面データ作成手段と、
前記第２印刷面データ作成手段で作成された前記第２印刷面データを格納する第２格納手段とを備えることを特徴とする受注者サーバー。
【発明の詳細な説明】
【技術分野】
【０００１】
本発明は、２以上の結婚式関連ペーパーアイテムにおける印刷面のデータを作成するための、印刷面データ作成システム、印刷面データ作成方法及び受注者サーバーに関する。
【背景技術】
【０００２】
結婚式関連で用いるペーパーアイテムである結婚式関連ペーパーアイテム（例えば、プロフィールパンフレット、招待状、席次表、食事のメニュー表、ウェルカムボード、席札。以後、単に「ペーパーアイテム」という場合、結婚式関連ペーパーアイテムのことを指す。）は、出来合いのものを用いることが一般的であった。しかし、近年、結婚式に対するニーズが多様化しており、ペーパーアイテムについても、出来合いのものではなく、結婚式の当事者が自らデザイン等の決定や選択に関わる場合が増えている。
なお、ペーパーアイテムの外形形状や冊子としての構成（例えば、ページの順序）については規格化されたものを用いることが好適であるため、結婚式の当事者は、主にペーパーアイテムの印刷面の作成（例えば、どのような文章や写真等を、どのような位置に掲載するか）について関わる場合が多い。
【０００３】
ここで、ペーパーアイテムについて注文を行う結婚式の当事者（以下、注文者という。）が、ペーパーアイテムの印刷面の作成に関わる一般的な方法を以下に例示する。
まず、ペーパーアイテムの印刷や作成等を行う業者や式場等（以下、受注者という。）の営業所等を尋ね、打ち合わせを行う。
次に、打ち合わせの結果をもとにデザイナーが印刷面データの作成を行う。
そして、完成した印刷面データに基づいて印刷を行い、その他必要な処理（裁断、製本等）を行うことで、ペーパーアイテムが完成する。完成したペーパーアイテムは、注文者に送付されるなどした後、結婚式等に用いられる。
【０００４】
しかし、上記の方法には、以下の（１）及び（２）のような問題点がある。
（１）印刷面やその元となる印刷面データを最終的に完成させるのは結局のところデザイナーであるため、注文者が考えた印刷面のデザインと完成した印刷面のデザインとの間にどうしても差異が発生してしまう。当該差異の度合いによっては、注文者の満足度が低くなってしまう場合がある。
（２）上記のような差異を最小限に留めるためにも、注文者と受注者との間で綿密な打ち合わせが必要となる。このため、注文者が受注者の営業所等を何度も尋ねて長時間の打ち合わせを行う必要があり、営業所の訪問及び打ち合わせにかかる時間やコストが注文者にとって大きな負担となる。
【０００５】
なお、分野が異なるが、例えば、はがきやＴシャツの絵柄については、注文者がインターネット等を介して作成・注文等を行うシステムや方法が知られている（例えば、特許文献１参照。）。
【先行技術文献】
【特許文献】
【０００６】
【特許文献１】特開２００５−１２８９６４号公報
【発明の概要】
【発明が解決しようとする課題】
【０００７】
しかし、結婚式関連ペーパーアイテムの分野では、注文者１人あたりの注文頻度がはがきやＴシャツと比べて著しく低いというような事情もあり、印刷面や印刷面を作成するための印刷面データを作成するのに適したシステムや方法はまったくと言ってよいほど発展してこなかった。
【０００８】
そこで、本発明は上記した問題を解決するためになされたものであり、注文者が考えた印刷面のデザインと完成したペーパーアイテムの印刷面のデザインとの差異により注文者の満足度が低くなることを防止することが可能であり、かつ、営業所の訪問及び打ち合わせにかかる時間やコストを低減することが可能である印刷面データ作成システム及び印刷面データ作成方法を提供することを目的とする。また、上記印刷面データ作成システムに用いるための受注者サーバーを提供することも目的とする。
【課題を解決するための手段】
【０００９】
［１］本発明の印刷面データ作成システムは、２以上の結婚式関連ペーパーアイテムにおける印刷面のデータを作成する印刷面データ作成システムであって、前記印刷面データ作成システムは、互いにデータ通信が可能な注文者コンピューター及び受注者サーバーを含み、前記注文者コンピューターは、前記受注者サーバーと情報のやり取りを行うための第１送受信手段と、前記受注者サーバーから提示された情報を表示する表示手段と、注文者が操作を行うための操作手段とを備え、前記受注者サーバーは、前記２以上の結婚式関連ペーパーアイテム間で共有される文字又は画像を共有表示要素とするとき、前記注文者コンピューターと情報のやり取りを行うための第２送受信手段と、前記２以上の結婚式関連ペーパーアイテムのうち第１のペーパーアイテムにおける第１基本レイアウトであって前記共有表示要素が表示される第１領域を少なくとも有するものを記憶する第１基本レイアウト記憶手段と、前記第１基本レイアウトを前記注文者に提示し、少なくとも前記共有表示要素を前記注文者に入力させることで前記第１基本レイアウトから第１印刷面データを作成する第１印刷面データ作成手段と、前記第１印刷面データ作成手段で作成された前記第１印刷面データ及び前記共有表示要素を格納する第１格納手段と、前記２以上の結婚式関連ペーパーアイテムのうち第２のペーパーアイテムにおける第２基本レイアウトであって前記共有表示要素に対応した文字又は画像が表示される第２領域を少なくとも有するものを記憶する第２基本レイアウト記憶手段と、前記第２領域に前記共有表示要素を入力した上で前記第２基本レイアウトを前記注文者に提示し、少なくとも前記第２領域に入力された前記共有表示要素を前記注文者に確認させることで第２印刷面データを作成する第２印刷面データ作成手段と、前記第２印刷面データ作成手段で作成された前記第２印刷面データを格納する第２格納手段とを備えることを特徴とする。
【００１０】
［２］本発明の印刷面データ作成システムにおいては、前記受注者サーバーは、前記第１印刷面データ及び前記第２印刷面データのうち少なくとも一方に対応した出来上がりイメージを前記注文者コンピューターに表示させることで、前記注文者に前記印刷面の確認を促す印刷面確認手段をさらに備えることが好ましい。
【００１１】
［３］本発明の印刷面データ作成システムにおいては、前記第１のペーパーアイテムは席次表であり、前記第１領域に表示させる共有表示要素は、出席者の氏名であることが好ましい。
【００１２】
［４］本発明の印刷面データ作成システムにおいては、前記第１領域は、前記席次表における卓の配置に対応して、前記卓ごとに分割されていることが好ましい。
【００１３】
［５］本発明の印刷面データ作成システムにおいては、前記第１基本レイアウトは、前記卓の配置を決定する情報が入力される卓配置情報入力領域をさらに有し、前記第１印刷面データ作成手段は、前記卓配置情報入力領域に前記卓の配置を決定する情報を前記注文者に入力させることが好ましい。
【００１４】
［６］本発明の印刷面データ作成システムにおいては、前記第１印刷面データ作成手段では、まず、前記卓配置情報入力領域に１つの列又は１つの行における前記卓の最大数を前記注文者に入力させ、その後、前記卓配置情報入力領域にそれぞれの列又はそれぞれの行ごとの前記卓の数を前記注文者に入力させることが好ましい。
【００１５】
［７］本発明の印刷面データ作成システムにおいては、前記第２のペーパーアイテムは席札であることが好ましい。
【００１６】
［８］本発明の印刷面データ作成システムにおいては、前記第１のペーパーアイテムは席次表であり、前記第１領域に表示させる共有表示要素は、出席者の氏名であり、前記第１領域は、前記席次表における卓の配置に対応して、前記卓ごとに分割されており、前記第１基本レイアウトは、前記卓の配置を決定する情報が入力される卓配置情報入力領域と、前記第１領域に表示する共有表示要素が入力される共有表示要素入力領域と、前記注文者が前記第１印刷面データ及び前記共有表示要素を前記第１格納手段に格納したい場合に前記注文者によって選択される領域である保存領域と、前記注文者が前記印刷面確認手段により前記第１印刷面データから構成された印刷面の出来上がりイメージを表示したい場合に、前記注文者によって選択される領域であるプレビュー表示領域とをさらに有し、前記卓配置情報入力領域、前記共有表示要素入力領域、前記保存領域及び前記プレビュー表示領域は、この順序で縦列又は横列に配置されていることが好ましい。
【００１７】
［９］本発明の印刷面データ作成方法は、２以上の結婚式関連ペーパーアイテムにおける印刷面のデータを作成する印刷面データ作成システムを用いた印刷面データ作成方法であって、前記２以上の結婚式関連ペーパーアイテム間で共有される文字又は画像を共有表示要素とするとき、前記受注者サーバーに記憶された、前記２以上の結婚式関連ペーパーアイテムのうち第１のペーパーアイテムにおける第１基本レイアウトであって前記共有表示要素が表示される第１領域を少なくとも有するものを前記注文者コンピューターに表示して前記注文者に提示し、少なくとも前記共有表示要素を前記注文者に入力させることで前記第１基本レイアウトから第１印刷面データを作成する第１工程と、前記第１工程で作成された前記第１印刷面データ及び前記共有表示要素を前記受注者サーバーに格納する第２工程と、前記受注者サーバーに記憶された、前記２以上の結婚式関連ペーパーアイテムのうち第２のペーパーアイテムにおける第２基本レイアウトであって前記共有表示要素に対応した文字又は画像が表示される第２領域を少なくとも有するものを、前記第２領域に前記共有表示要素を入力した上で前記注文者に提示し、少なくとも前記第２領域に入力された前記共有表示要素を前記注文者に確認させることで第２印刷面データを作成する第３工程と、前記第３工程で作成された前記第２印刷面データを前記受注者サーバーに格納する第４工程とをこの順序で含むことを特徴とする。
【００１８】
［１０］本発明の注文者サーバーは、２以上の結婚式関連ペーパーアイテムにおける印刷面のデータを作成する印刷面データ作成システムに用いるための受注者サーバーであって、前記２以上の結婚式関連ペーパーアイテム間で共有される文字又は画像を共有表示要素とするとき、前記注文者コンピューターと情報のやり取りを行うための第２送受信手段と、前記２以上の結婚式関連ペーパーアイテムのうち第１のペーパーアイテムにおける第１基本レイアウトであって前記共有表示要素が表示される第１領域を少なくとも有するものを記憶する第１基本レイアウト記憶手段と、前記第１基本レイアウトを前記注文者に提示し、少なくとも前記共有表示要素を前記注文者に入力させることで前記第１基本レイアウトから第１印刷面データを作成する第１印刷面データ作成手段と、前記第１印刷面データ作成手段で作成された前記第１印刷面データ及び前記共有表示要素を格納する第１格納手段と、前記２以上の結婚式関連ペーパーアイテムのうち第２のペーパーアイテムにおける第２基本レイアウトであって前記共有表示要素に対応した文字又は画像が表示される第２領域を少なくとも有するものを記憶する第２基本レイアウト記憶手段と、前記第２領域に前記共有表示要素を入力した上で前記第２基本レイアウトを前記注文者に提示し、少なくとも前記第２領域に入力された前記共有表示要素を前記注文者に確認させることで第２印刷面データを作成する第２印刷面データ作成手段と、前記第２印刷面データ作成手段で作成された前記第２印刷面データを格納する第２格納手段とを備えることを特徴とする。
【発明の効果】
【００１９】
本発明の印刷面データ作成システム及び印刷面データ作成方法によれば、注文者に自ら入力を行わせてペーパーアイテムの印刷面データを作成するため、注文者が考えた印刷面のデザインと完成したペーパーアイテムの印刷面のデザインとの差異により注文者の満足度が低くなることを防止することが可能となる。
【００２０】
また、本発明の印刷面データ作成システム及び印刷面データ作成方法によれば、注文者の手持ちのコンピューターである注文者コンピューターを用いて印刷面データの作成を行うことができるため、営業所の訪問及び打ち合わせにかかる時間やコストを低減することが可能となる。
【００２１】
その結果、本発明の印刷面データ作成システム及び印刷面データ作成方法は、注文者が考えた印刷面のデザインと完成したペーパーアイテムの印刷面のデザインとの差異により注文者の満足度が低くなることを防止することが可能であり、かつ、営業所の訪問及び打ち合わせにかかる時間やコストを低減することが可能である印刷面データ作成システム及び印刷面データ作成方法となる。
【００２２】
また、本発明の印刷面データ作成システム及び印刷面データ作成方法によれば、２以上の結婚式関連ペーパーアイテム間で共有される文字又は画像である共有表示要素について、第１印刷面データを作成する際に入力を行えば、第２印刷面データを作成する際には再度の入力を必要とせずに入力が行われた状態となるため、再度の入力の手間を省くことが可能となり、かつ、繰り返しの入力に起因する誤入力を抑制することが可能となる。
【００２３】
本発明の受注者サーバーは、上記の印刷面データ作成システム及び印刷面データ作成方法に用いることが可能な受注者サーバーとなる。
【図面の簡単な説明】
【００２４】
【図１】実施形態１に係る印刷面データ作成システムの概要を示すブロック図である。
【図２】実施形態１に係る印刷面データ作成方法に関するフローチャートである。
【図３】実施形態１において第１印刷面データを作成する場合に注文者コンピューター１に表示される画面の例を示すものである。
【図４】実施形態１において第１印刷面データを作成する場合に注文者コンピューター１に表示される画面の例を示すものである。
【図５】実施形態１において第２印刷面データを編集する場合に注文者コンピューター１に表示される画面の例を示すものである。
【図６】実施形態２において第１印刷面データを作成する場合に注文者コンピューター１に表示される画面の例を示すものである。
【図７】変形例１において第１印刷面データを作成する場合に注文者コンピューター１に表示される画面の例を示すものである。
【図８】変形例２において第１印刷面データを作成する場合に注文者コンピューター１に表示される画面の例を示すものである。
【発明を実施するための形態】
【００２５】
以下、本発明の印刷面データ作成システム、印刷面データ作成方法及び受注者サーバーについて、図に示す実施の形態を用いて説明する。
【００２６】
［実施形態１］
１．印刷面データ作成システム及び受注者サーバー
図１は、実施形態１に係る印刷面データ作成システムの概要を示すブロック図である。なお、図１における矢印は、注文者コンピューター１と受注者サーバー２との間の情報のやり取りを示す。
【００２７】
実施形態１に係る印刷面データ作成システムは、２以上の結婚式関連ペーパーアイテムにおける印刷面のデータを作成する印刷面データ作成システムである。印刷面データ作成システムは、図１に示すように、互いにデータ通信が可能な注文者コンピューター１及び受注者サーバー２を含む。実施形態１における注文者コンピューター１と受注者サーバー２とは、インターネットｉを介して接続されている。
なお、図１においては、１台の注文者コンピューター１と１台の受注者サーバー２との間で情報のやり取りを行う様子が表示されているが、本発明はこれに限定されるものではない。注文者コンピューター及び受注者サーバーの一方又は両方は、複数であってもよい。なお、注文者コンピューターが複数ある場合としては、複数の注文者がそれぞれ別のペーパーアイテムの印刷面データを作成する場合が考えられる。また、受注者サーバーが複数ある場合としては、分散処理を行う場合が考えられる。
【００２８】
本明細書における「２以上の結婚式関連ペーパーアイテム」とは、互いに関連する（つまり、同一の結婚式に用いる）複数のペーパーアイテムのことをいう。なお、ペーパーアイテムについては、１つの冊子等（例えば、プロフィールパンフレット）に複数のペーパーアイテムがまとめられている場合がある。例えば、１つの冊子に、表紙、新郎新婦の挨拶が記載された紙面、席次表、食事のメニュー表及び裏表紙がまとめられている場合であっても、表紙、新郎新婦の挨拶が記載された紙面、席次表、食事のメニュー表、及び裏表紙は別のペーパーアイテムとして扱う。
【００２９】
本明細書における「共有表示要素」とは、２以上の結婚式関連ペーパーアイテム間で共有される（共通する）文字又は画像である。例えば、招待状、席次表、席札等には、共通する文字として出席者の氏名が記載されることが多い。また、招待状、プロフィールパンフレット（結婚式当日において出席者に配布される、写真やメッセージが掲載された小冊子）、ウェルカムボード等には、共通する画像として新郎新婦の写真が記載されることが多い。
【００３０】
共有表示要素は、その元となるデータ（文字の内容や元となる画像）が同じであればよく、あるペーパーアイテムの最終的な印刷面と他のペーパーアイテムの最終的な印刷面との間で完全に同一であることを要しない。例えば、共有表示要素が文字である場合には、あるペーパーアイテムと他のペーパーアイテムとの間でサイズ、書体、段組等が異なっていてもよい。また、共有表示要素が画像である場合には、あるペーパーアイテムと他のペーパーアイテムとの間でサイズ、トリミング位置、色合い等が異なっていてもよい。
【００３１】
本明細書における「注文者コンピューター」とは、注文者（注文者を代理して操作・入力を行う者を含む。操作・入力に関する他の「注文者」も同様。）が実際に操作を行うコンピューター機器である。注文者コンピューターは、サーバーに対するものとして、クライアント・コンピューターということもできる。注文者コンピューターという名称は便宜的なものであり、いわゆるコンピューターとしての機能を有する機器であれば、一般的にコンピューターという名称で呼ばれないもの（例えば、いわゆるスマートフォン）であっても注文者コンピューターとして用い得る。注文者コンピューターとしては、汎用のパーソナルコンピューター、スマートフォン等の携帯端末、タブレット端末等を用いることができる。また、注文者コンピューターは、受注者サーバーと情報のやり取りを行うためのソフトウェアとしてＷＥＢブラウザを使用できるものであることが好ましい。
【００３２】
本明細書における「受注者サーバー」とは、注文者コンピューターからの求めに応じて諸機能を発揮するコンピューター機器である。当該受注者サーバーとしては、汎用のサーバーコンピューター機器を用いることができる。また、いわゆるクラウドサーバーを用いてもよい。
【００３３】
注文者コンピューター１及び受注者サーバー２は、ハードウェアという観点からみたとき、例えば、演算装置（ＣＰＵ等）、通信装置（モデム等）、読込装置（ディスクドライブ等）、操作装置（マウス、キーボード、タッチパネル等）、バス・コントローラ、記憶装置（ＲＡＭ、ＲＯＭ、ハードディスクドライブ等）、表示装置（ディスプレイ、ＶＲＡＭ等）等により構成される。注文者コンピューター１及び受注者サーバー２のハードウェア的な構成については、それぞれ広く流通している汎用のものを用いることができるため、図示及び詳細な説明については省略する。
【００３４】
以下、注文者コンピューター１及び受注者サーバー２が備える各種手段について説明する。下記の各種手段は、上記したハードウェア、ＯＳやドライバ等のソフトウェア等、注文者コンピューター１又は受注者サーバー２が備える資源により実現される。
各種手段は、それぞれが１つのハードウェア等により実現されるものではなく、複数のハードウェア等により実現される。また、異なる手段であっても、主に同じハードウェア等により実現されることもある（例えば、記憶手段と格納手段。）。
【００３５】
注文者コンピューター１は、図１に示すように、第１送受信手段１０と、表示手段１２と、操作手段１４とを備える。
第１送受信手段１０は、受注者サーバー２と情報のやり取りを行うためのものである。第１送受信手段１０は、主に通信装置により実現される。
表示手段１２は、主に受注者サーバー２から提示された情報を表示するためのものである。表示手段１２は、主に表示装置により実現される。
操作手段１４は、注文者が注文者コンピューター１の操作を行うためのものである。操作手段１４は、注文者に印刷面データを作成させる際にも当然用いられる。操作手段１４は、主に操作装置により実現される。
【００３６】
受注者サーバー２は、第２送受信手段２０と、第１基本レイアウト記憶手段２２と、第１印刷面データ作成手段２４と、第１格納手段２６と、第２基本レイアウト記憶手段２８と、第２印刷面データ作成手段３０と、第２格納手段３２と、印刷面確認手段３４とを備える。
【００３７】
第２送受信手段２０は、注文者コンピューター１と情報のやり取りを行うためのものである。第２送受信手段２０は、主に通信装置により実現される。
【００３８】
第１基本レイアウト記憶手段２２は、２以上の結婚式関連ペーパーアイテムのうち第１のペーパーアイテムにおける第１基本レイアウトであって共有表示要素が表示される第１領域を少なくとも有するものを記憶するためのものである。第１基本レイアウト記憶手段２２は、主に記憶装置により実現される。
実施形態１における第１基本レイアウト記憶手段２２は、それぞれデザイン等が異なる第１基本レイアウトの候補（デザインパターンということもできる。）を複数記憶している。
本明細書における「基本レイアウト」とは、印刷面データの雛形であって、ペーパーアイテムの印刷面に配置される文字や画像の内容、位置、大きさ、形状、間隔、配列等を規定するもののことをいう。なお、本明細書における基本レイアウトには、ペーパーアイテムの印刷面に配置される文字や画像の内容等を規定する操作を行わせるための領域（例えば、後述する卓配置情報入力領域や共有表示要素入力領域等）も含まれうる。
【００３９】
第１印刷面データ作成手段２４は、第１基本レイアウトを注文者に提示し、少なくとも共有表示要素を注文者に入力させることで第１基本レイアウトから第１印刷面データを作成するためのものである。なお、印刷面データは、印刷面の印刷に用いることができるデータであれば、任意の内容及び形式のデータとすることができる。
実施形態１における第１印刷面データ作成手段２４による第１印刷面データの作成方法の例は、印刷面データ作成方法とともに後述する。
【００４０】
本明細書において、「受注者サーバーが第１印刷面データ作成手段を備える」とは、第１印刷面データ作成手段の根本をなすソフトウェアが受注者サーバーに記憶されているということである。第１印刷面データを実際に作成する際には、第１印刷面データ作成手段は、注文者コンピューターからの遠隔操作により受注者サーバー内のみで機能を実現するものであってよく、第１印刷面データの作成に必要な情報（例えば、第１印刷面データを注文者コンピューターのＷＥＢブラウザ上で作成可能とする情報）を注文者コンピューターに提供することで機能を実現するものであってもよい。これは、後述する第２印刷面データ作成手段においても同様である。
【００４１】
実施形態１における第１印刷面データ作成手段２４は、第１領域以外の領域についても編集可能である（例えば、第１のペーパーアイテムでのみ用いる文字や画像について入力する等。）。第１印刷面データ作成手段２４は、第１領域やそれ以外の領域に設定する画像データとして、受注者サーバー２に保存された画像データに加え、注文者コンピューター１に保存された画像データも使用可能とすることができる。なお、第１印刷面データ作成手段２４で注文者コンピューター１に保存された画像データを使用する場合には、注文者コンピューター１から当該画像データを直接読み込んで使用してもよいし、当該画像データを受注者サーバー２に送信し、当該画像データ等を受注者サーバー２に格納してから使用してもよい。これは後述する第２印刷面データ作成手段３０においても同様である。
【００４２】
実施形態１においては、第１のペーパーアイテムは席次表であり、第１領域に表示させる共有表示要素は、出席者の氏名である。
本明細書において「席次表」とは、結婚式における席次（誰がどの席に着席すべきか）を表示するもののことをいう。席次表は単独のペーパーアイテムであってもよいし、挨拶文や食事のメニュー表等とともに冊子状（いわゆるプロフィールパンフレット）になっていてもよい。
【００４３】
実施形態１においては、第１領域は、席次表における卓の配置に対応して、卓ごとに分割されている。つまり、卓ごとに出席者の氏名を入力でき、かつ、ある氏名を他の氏名と異なる卓に入力した場合であっても、ある氏名と他の氏名とは同様に共有表示要素として扱われる。また、結婚式の卓の配置は、注文者が決定可能である。具体的には、第１基本レイアウトは、卓の配置を決定する情報が入力される卓配置情報入力領域をさらに有し、第１印刷面データ作成手段２４は、卓配置情報入力領域に卓の配置を決定する情報を注文者に入力させる。
第１印刷面データ作成手段２４では、まず、卓配置情報入力領域に１つの列又は１つの行における卓の最大数を前記注文者に入力させ、その後、卓配置情報入力領域にそれぞれの列又はそれぞれの行ごとの卓の数を注文者に入力させる。
なお、席次表には、氏名の他にも肩書きや敬称を入力可能としてもよく、肩書きや敬称も共有表示要素として扱ってもよい。
また、席次表は、共有表示要素として扱わない文字や画像（例えば、結婚式を挙げる両家の家名、新郎新婦の名、結婚式の日時や場所）についても入力・編集可能としてもよい。
【００４４】
第１格納手段２６は、第１印刷面データ作成手段２４で編集された第１印刷面データ及び共有表示要素を格納するためのものである。第１格納手段２６は、主に記憶装置により実現される。
【００４５】
第２基本レイアウト記憶手段２８は、２以上の結婚式関連ペーパーアイテムのうち第２のペーパーアイテムにおける第２基本レイアウトであって共有表示要素に対応した文字又は画像が表示される第２領域を少なくとも有するものを記憶するためのものである。第２基本レイアウト記憶手段２８は、主に記憶装置により実現される。
実施形態１における第２基本レイアウト記憶手段２８は、それぞれデザイン等が異なる第２基本レイアウトの候補を複数記憶している。なお、第２基本レイアウトは、デザインを選択した第１基本レイアウトに応じて候補の中から自動的に選択される（例えば、デザインに共通性を有する特定の第１基本レイアウトと特定の第２基本レイアウトとが紐付けされており、特定の第１レイアウトが選択されると自動的に特定の第２レイアウトが選択される）こととしてもよいし、第１基本レイアウトとは別個に選択することとしてもよい。
【００４６】
第２印刷面データ作成手段３０は、第２領域に共有表示要素を入力した上で第２基本レイアウトを注文者に提示し、少なくとも前記第２領域に入力された前記共有表示要素を前記注文者に確認させることで第２印刷面データを作成するものである。なお、第２領域に関して編集（例えば、位置や大きさの変更）が可能であってもよい。
第２印刷面データ作成手段３０による第２印刷面データの作成方法の例は、印刷面データ作成方法とともに後述する。
【００４７】
実施形態１における第２印刷面データ作成手段３０は、第２領域以外の領域について編集可能であってもよい。また、第２印刷面データ作成手段３０は、第２領域及びそれ以外の領域に設定する画像データとして、受注者サーバー２に保存された画像データに加え、注文者コンピューター１に保存された画像データも使用可能とすることができる。
【００４８】
実施形態１においては、第２のペーパーアイテムは席札である。
本明細書において「席札」とは、結婚式の際に席上に置くことで着席すべき位置を示すもののことをいう。
なお、第２印刷面データ作成手段３０で第２印刷面データの作成を行う際には、共有表示要素が入力された全ての席札（つまり、出席人数分の席札）を表示してもよいが、第２領域についてはサンプルの氏名（例えば、架空の氏名、記号、任意の出席者の氏名）が表示された１つの席札のみを表示してもよい（後述する図５参照。）。これは、席札は出席者の人数分用意されるペーパーアイテムではあるものの、出席者の氏名が表示される第２領域以外の領域のレイアウトやデザインは各席札の間で共通である場合が多いためである。
【００４９】
第２格納手段３２は、第２印刷面データ作成手段３０で編集された第２印刷面データを格納するためのものである。第２格納手段３２は、主に記憶装置により実現される。
【００５０】
印刷面確認手段３４は、第１印刷データ及び第２印刷面データに対応した出来上がりイメージを注文者コンピューターに表示させることで、注文者に印刷面の確認を促すためのものである。印刷面確認手段３４は、第１印刷面データ作成手段２４及び第２印刷面データ作成手段３０における印刷面データの作成中に実行可能としてもよいし、全ての印刷面データを作成した後に実行可能としてもよい。印刷面確認手段３４は、主に記憶装置及び通信装置により実現することができる。
【００５１】
２．印刷面データ作成方法
次に、印刷面データ作成方法について説明する。
実施形態１に係る印刷面データ作成方法は、実施形態１に係る印刷面データ作成システムを用いた印刷面データ作成方法である。実施形態１に係る印刷面データ作成方法は、席次表及び席札を作成するための方法である。なお、本発明の印刷面データ作成方法はこれに限定されるものではなく、新郎新婦の挨拶が記載された紙面、食事のメニュー表、プロフィールパンフレットの表紙及び裏表紙等、他のペーパーアイテムの印刷面も作成するものであってもよい。
【００５２】
以下、実施形態１に係る印刷面データ作成方法を、表示される画面の例とともに説明する。
図２は、実施形態１における処理の様子を示すフローチャートである。図２における矢印は、注文者コンピューター１と受注者サーバー２との間の情報のやり取りを表す。図２において注文者コンピューター１側に連なるステップは、主に注文者コンピューター１の資源を用いて実施されるステップであり、受注者サーバー２側に連なるステップは、主に受注者サーバー２の資源を用いて実施されるステップである。
【００５３】
まず、注文者に、注文者コンピューター１を用いて受注者サーバー２に接続させる（接続、ステップＳ１０）。当該接続は、例えば、注文者に、注文者コンピューター１におけるＷＥＢブラウザを用いて、受注者サーバーのＷＥＢアドレスを入力させることで行うことができる。
【００５４】
受注者サーバー２は、注文者コンピューター１からの接続を受けて、注文者コンピューター１にメニュー画面を表示させる（メニュー表示、ステップＳ１２）。当該メニュー画面には、印刷面データ作成画面に進むための項目の他、会員登録、作品事例の表示、価格表の表示、問い合わせ先の表示等へ進むための項目が表示される（図示せず。）。なお、印刷面データ作成画面に進むためには、会員登録のような個人識別を可能とする手段を必須としてもよい。
次に、注文者に、メニュー画面から印刷面データ作成画面に進むための項目を選択させる（メニュー選択、ステップＳ１４）。なお、印刷面データを作成するペーパーアイテムの種類の選択（例えば、席次表と席札とを作成する、プロフィールパンフレット全体と席札とを作成する等の選択）ができる場合には、この段階で注文者に選択を行わせることができる。
【００５５】
その後、受注者サーバー２は、第１基本レイアウト及び第２基本レイアウトを含むレイアウトセットの候補を表示させる（レイアウトセット候補表示、ステップＳ１６）。その後、注文者に、注文者コンピューター１の操作により、希望のレイアウトセットを選択させる（レイアウトセット選択、ステップＳ１８）。
なお、レイアウトセットは、それぞれデザイン（色彩、文字や写真のレイアウト、書体等）が統一された基本レイアウトのセットである。本発明の印刷面データ作成方法においては、第１基本レイアウト、第２基本レイアウトといったペーパーアイテムの基本レイアウトごとに候補から選択するようにしてもよい。
【００５６】
次に、受注者サーバー２は、注文者に選択させた第１基本レイアウトを提示する（第１基本レイアウト提示、ステップＳ２０）。続いて、注文者に、注文者コンピューター１から第１印刷面データを作成するための操作を行わせ（第１印刷面データ作成操作、ステップＳ２２）、第１印刷面データを作成する（第１印刷面データ作成、ステップＳ２３）。
ステップＳ２０，Ｓ２２，Ｓ２３は、受注者サーバー２に記憶された、２以上の結婚式関連ペーパーアイテムのうち第１のペーパーアイテムにおける第１基本レイアウトであって共有表示要素が表示される第１領域を少なくとも有するものを注文者コンピューターに表示して注文者に提示し、少なくとも共有表示要素を注文者に入力させることで第１基本レイアウトから第１印刷面データを作成する第１工程に相当する。当該第１工程は、第１基本レイアウト記憶手段２２及び第１印刷面データ作成手段２４を用いて実施することができる。
【００５７】
ここで、実施形態１における第１印刷面データの作成について詳しく説明する。
図３及び図４は、実施形態１において第１印刷面データを作成する場合に注文者コンピューター１に表示される画面の例を示すものである。
実施形態１においては、第１のペーパーアイテムは席次表であるため、第１印刷面データは席次表に関する印刷面データである。以下、第１のペーパーアイテムである席次表の印刷面データを作成するための画面のことを席次表作成画面という。
席次表作成画面には、図３に示すように、第１表示領域Ａ１、第２表示領域Ａ２、第３表示領域Ａ３、第４表示領域Ａ４及び第５表示領域Ａ５が存在する。なお、図３においては、各表示領域は枠線で明確に分離されているが、各表示領域は枠線等で明確に分離されていなくても（つまり、ある表示領域と他の表示領域とが視覚上一体化していても）よい。
【００５８】
第１表示領域Ａ１は、２以上の結婚式関連ペーパーアイテムのうち、どのペーパーアイテムの印刷面データを作成しているのかを主に表示する領域である。実施形態１においては、作成対象表示領域Ａ１０に、作成対象のペーパーアイテムとして席次表と席札とが表示されており、作成中のペーパーアイテムに関する表示（図３においては文字。図形や写真であってもよい。）が強調表示される。強調表示としては、例えば、入力中のペーパーアイテムに関する表示を枠で囲う表示（図３参照。）や、入力中のペーパーアイテムに関する表示の表示濃度を濃くし、その他のペーパーアイテムに関する表示の表示濃度を薄くする表示を用いることができる。
【００５９】
また、第１表示領域Ａ１の右側にはプレビュー表示領域Ａ１２が存在している。プレビュー表示領域Ａ１２は、注文者が印刷面確認手段３４により印刷面データから構成された印刷面の出来上がりイメージを表示したい場合に、注文者によって選択される（例えば、注文者がマウスでカーソルをプレビュー表示領域Ａ１２上に移動させ、クリックする）領域である。出来上がりイメージの表示は、印刷面確認手段３４により、受注者サーバー２に保存された印刷面データ（第１のペーパーアイテムについて作成中の場合には、第１印刷面データ）を用いて行われる。なお、出来上がりイメージの表示を行う際には、コピー防止のために、当該印刷面の出来上がりイメージに重ねるように文字や図形等がさらに表示されるようにしてもよい。
【００６０】
第２表示領域Ａ２は、主にペーパーアイテムに関する印刷面データの編集状況を表示する領域である。
卓表示領域Ａ２０は、結婚式における卓を示す領域である。図３においては、第２表示領域内に１６個の卓表示領域Ａ２０が四角形状に配置されているが、卓表示領域Ａ２０の個数及び配置は後述する第３表示領域Ａ３内の数値を注文者に増減させることにより変更可能である。
また、実施形態１における席次表では、卓表示領域Ａ２０上に出席者の氏名を表示することになるため、卓表示領域Ａ２０は第１領域である。実施形態１においては、第１領域である卓表示領域Ａ２０への氏名の入力は、後述する第４表示領域Ａ４内の氏名入力領域Ａ４１への氏名の入力により行われる。なお、注文者に卓表示領域Ａ２０を選択させることにより、卓表示領域Ａ２０に氏名を直接入力させることができるようにしてもよい。
【００６１】
家名入力領域Ａ２１，Ａ２２は、結婚式を挙げる家の家名を入力させるための領域である。タイトル入力領域Ａ２３は、ペーパーアイテムのタイトル（例えば、「御席表」、「結婚式御席表」等）を入力させるための領域である。新郎名入力領域Ａ２４は、新郎の名前を入力させるための領域である。新婦名入力領域Ａ２５は、新婦の名前を入力させるための領域である。日時場所入力領域Ａ２６は、結婚式を行う日時及び場所を入力させるための領域である。これらの領域には、注文者に領域を選択させ、文字を入力させることができる。なお、これらの領域には、注文者に提示される時点で仮の内容が入力されているようにしてもよい。
【００６２】
第３表示領域Ａ３は、結婚式における卓の配置に合わせて席次表に記載する卓の配置を決定するための領域である。
第３表示領域Ａ３に含まれる総列数入力領域Ａ３０、１列目卓数入力領域Ａ３２、２列目卓数入力領域Ａ３４、３列目卓数入力領域Ａ３６及び４列目卓数入力領域Ａ３８は、卓の配置を決定する情報が入力される卓配置情報入力領域に相当する。
総列数入力領域Ａ３０は、１つの列における卓の最大数を入力させる領域である。図３においては、一例として「４」が入力されている。
１列目卓数入力領域Ａ３２は、１列目における卓の数を入力させる領域である。
２列目卓数入力領域Ａ３４は、２列目における卓の数を入力させる領域である。
３列目卓数入力領域Ａ３６は、３列目における卓の数を入力させる領域である。
４列目卓数入力領域Ａ３８は、４列目における卓の数を入力させる領域である。
１列目卓数入力領域Ａ３２〜４列目卓数入力領域Ａ３８については、図３においては、一例として「４」が入力されている。
【００６３】
ここで、注文者が総列数入力領域Ａ３０に入力されている数値を減少させると、それに応じて卓数入力領域の表示が減る（例えば、総列数入力領域Ａ３０に３が入力されると、４列目卓数入力領域Ａ３８の表示が消える。）。逆に注文者が総列数入力領域Ａ３０に入力されている数値を増加させると、それに応じて卓数入力領域の表示が増える（例えば、総列数入力領域Ａ３０に５が入力されると、５列目卓数入力領域（図示せず。）の表示が現れる。）。また、総列数入力領域Ａ３０に入力されている数値が変更された場合、これに応じて第２表示領域Ａ２の卓表示領域Ａ２０の列数も変更される。
なお、各数値の入力は、数値を直接入力させることとしてもよいし、プルダウン式メニュー等から数値を選択して入力させることとしてもよい。
【００６４】
また、各卓数入力領域に入力されている数値が変更された場合、これに応じて第２表示領域Ａ２の対応する列の卓表示領域Ａ２０の数も変更される。なお、結婚式における卓配置の慣例上、卓表示領域Ａ２０は、常に列ごとに中央揃えかつ等間隔に配置されることが好ましい。
例えば、総列数入力領域Ａ３０に「３」が入力され、１列目卓数入力領域Ａ３２に「３」が入力され、２列目卓数入力領域Ａ３４に「２」が入力され、３列目卓数入力領域Ａ３６に「３」が入力された場合、卓表示領域Ａ２０の配置は、図４に示すようになる。
【００６５】
なお、実施形態１においては、卓の配置及び個数について列を基準として決定するが、本発明はこれに限定されるものではなく、行を基準として決定することとしてもよい。
【００６６】
第４表示領域Ａ４は、卓表示領域Ａ２０に表示される内容を決定するための領域である。
実施形態１においては、任意の卓表示領域Ａ２０についての注文者の選択に応じて、第４表示領域Ａ４に、氏名入力領域Ａ４１、肩書入力領域Ａ４２及び敬称入力領域Ａ４３を含む複数の入力領域Ａ４０が表示される。入力領域Ａ４０は、第１領域（卓表示領域Ａ２０）に表示する共有表示要素が入力される共有表示要素入力領域である。実施形態１においては、入力領域Ａ４０は卓ごとに８つ表示されるようにしているが（図３参照。）、卓ごとに表示される入力領域の数は任意の数とすることができる。１つの入力領域Ａ４０が、結婚式の出席者一人に対応する。なお、図３においては、最も左上に表示されている入力領域Ａ４０以外の入力領域Ａ４０では、氏名入力領域Ａ４１、肩書入力領域Ａ４２及び敬称入力領域Ａ４３の符号の表示を省略している。
【００６７】
氏名入力領域Ａ４１は、出席者の氏名を入力する場合に、注文者によって選択され、入力が行われる領域である。出席者の氏名は、後述する席札にも用いられる共有表示要素である。
肩書入力領域Ａ４２は、出席者の肩書等を入力する場合に、注文者によって選択され、入力が行われる領域である。肩書入力領域には、職場での役職や新郎新婦との関係等が入力される。なお、実施形態１においては、肩書は共有表示要素ではないが、肩書を共有表示要素に含めてもよい。
敬称入力領域Ａ４３は、出席者の敬称等を入力する場合に、注文者によって選択され、入力が行われる領域である。敬称等としては「様」、「殿」、「ちゃん」等が入力される。実施形態１においては、出席者の敬称等は、氏名とともに用いられる共有表示要素である。なお、敬称等の入力は、注文者によって直接入力されるようにしてもよいし、予め登録されている敬称等の中から注文者に選択させる（例えば、ラジオボタン状メニューやプルダウン式メニューにより選択する）ことにより入力されるようにしてもよい。
【００６８】
注文者は、結婚式における卓の配置に合わせて席次表に記載する卓の配置を決定した後、「任意の卓表示領域Ａ２０の選択」と「該当する卓に着席すべき出席者の氏名、肩書等、敬称の入力」とを繰り返すことにより、第１のペーパーアイテムである席次表を編集可能である。なお、図示及び詳細な説明は省略するが、上記した内容の他に、席次表に写真やスタンプ等を入力できるようにしてもよい。
【００６９】
第５表示領域Ａ５は、編集内容の保存及び切り替えを行うための領域である。
保存領域Ａ５０は、注文者が第１印刷面データ及び共有表示要素を第１格納手段２６に格納したい場合に注文者によって選択される領域である。つまり、保存領域Ａ５０は、編集内容の保存を行いたい場合に注文者によって選択される領域である。このため、保存領域Ａ５０が選択された場合には、第１印刷面データ作成手段２４で入力された内容、つまり、第１印刷面データ及び共有表示要素について第１格納手段２６に格納し、保存を行う。
編集切り替え領域Ａ５２，Ａ５４は、他のペーパーアイテムの作成画面に切り替えたい場合に、注文者によって選択される領域である。
【００７０】
第１印刷面データの入力が終わり、第１印刷面データが完成した後、注文者により入力内容を保存するための操作が行われる（第１印刷面データ完成、ステップＳ２４）。これは、保存領域Ａ５０が選択された場合に実施される。当該操作を受けて、受注者サーバー２は、第１印刷面データを格納する（第１印刷面データ格納、ステップＳ２６）。
ステップＳ２４，Ｓ２６は、第１工程で編集された第１印刷面データ及び共有表示要素を受注者サーバー２に格納する第２工程である。当該第２工程は、第１格納手段２６を用いて実施することができる。
なお、受注者サーバー２は、注文者の明示の操作によらず、予め設定された条件（例えば、時間経過や特定の操作の実行）をきっかけとして第１印刷面データを格納するようにしてもよい。これは後述する第２印刷面データについても同様である。また、印刷面データの入力の途中で入力内容を保存してもよい。
【００７１】
次に、受注者サーバー２は、第２基本レイアウトの第２領域に共有表示要素を入力し、注文者に提示する（第２基本レイアウト提示、ステップＳ２８）。当該提示は、注文者によって編集切り替え領域Ａ５２が選択された後に行われる。その後、注文者に、注文者コンピューター１から第２印刷面データを作成するための操作を行わせ（第２印刷面データ作成操作、ステップＳ３０）、第２印刷面データを作成する（第２印刷面データ作成、ステップＳ３１）。
ステップＳ２８，Ｓ３０，Ｓ３１は、受注者サーバーに記憶された、２以上の結婚式関連ペーパーアイテムのうち第２のペーパーアイテムにおける第２基本レイアウトであって共有表示要素に対応した文字又は画像が表示される第２領域を少なくとも有するものを、第２領域に共有表示要素を入力した上で注文者に提示し、少なくとも前記第２領域に入力された前記共有表示要素を前記注文者に確認させることで第２印刷面データを作成する第３工程である。当該第３工程は、第２印刷面データ作成手段３０により行われる。
【００７２】
ここで、実施形態１における第２印刷面データの作成について詳しく説明する。
図５は、実施形態１において第２印刷面データを編集する場合に注文者コンピューター１に表示される画面の例を示すものである。
実施形態１においては、第２のペーパーアイテムは席札である。このため、第２印刷面データは席札に関する印刷面データである。以下、第２のペーパーアイテムである席札を編集する画面のことを席札作成画面という。
席札作成画面には、図５に示すように、第１表示領域Ａ１、第５表示領域Ａ５及び第６表示領域Ａ６が含まれている。なお、図５においては、図３において第３表示領域Ａ３及び第４表示領域Ａ４が表示されていた領域には何も表示されていない。
【００７３】
第１表示領域Ａ１は、席次表作成画面におけるものと同様である。ただし、図５では席札の印刷面データを編集しているため、作成対象表示領域Ａ１０では、席札に関する表示が強調表示されている。
なお、席札編作成画面においてプレビュー表示領域Ａ１２を選択した場合には、第２印刷面データを用いた出来上がりイメージが表示される。表示される出来上がりイメージにおいては、第２領域にはサンプルの氏名を表示してもよいし、実際に入力された共有表示要素としての氏名を表示してもよい。共有表示要素としての氏名を表示する場合には、一人分の席札のみを表示してもよいし、全員分の席札を表示してもよい。
【００７４】
第５表示領域Ａ５は、席次表作成画面におけるものと基本的に同様である。ただし、図５では席札の印刷面データを作成しているため、保存領域Ａ５０が選択された場合には、
第２印刷面データ作成手段３０で入力された内容、つまり、第２印刷面データについて、第２格納手段３２により格納し、保存を行う。
なお、前の作成画面又は次の作成画面が存在しない場合には、編集切り替え領域Ａ５２及び編集切り替え領域Ａ５４のうち状況に応じた片方のみが表示されるようにしてもよい。
【００７５】
第６表示領域Ａ６は、主にペーパーアイテムにおける印刷面データの入力状況を表示する領域であるという点では第２表示領域Ａ２と同様であるが、席札の入力状況を表示する領域である。
席札表示領域Ａ６０は、入力中の席札の全体的なデザインを表示する領域である。席札表示領域Ａ６０には、デザインに応じた文字・写真・絵等（例えば、「ＷＥＤＤＩＮＧ  ＲＥＣＥＰＴＩＯＮ」といった文字。）が表示されている。これらの文字・写真・絵等は、注文者によって編集可能でとしてもよいし、編集不可能（デザインに付随した必須要素）としてもよい。
【００７６】
氏名表示領域Ａ６２は、出席者の氏名が表示される領域である。氏名表示領域Ａ６２には、第２領域である。
なお、実施形態１においては、敬称入力領域Ａ４３に入力された敬称も共有表示要素であり、第２印刷面データにおいては、入力された氏名に対応する敬称も入力される。
【００７７】
席札は出席者の人数分作成されるが、氏名及び敬称以外の部分については全ての席札でデザイン等が共通である。このため、第２印刷面データの入力中の段階（席札作成画面）においては、図５に示すように、氏名表示領域Ａ６２にはサンプルの氏名及び敬称（例えば、●●  ●●様）が表示される。なお、サンプルの氏名及び敬称の表示は上記のものに限られるものではなく、例えば、予め設定した所定の氏名等や氏名入力領域Ａ４１に入力した氏名及び敬称のうち任意の氏名及び敬称を表示することとしてもよい。
【００７８】
日時等入力領域Ａ６４は、注文者に、結婚式を行う日時、新郎新婦の氏名、メッセージ等、必要な事項を入力させるための領域である。日時等入力領域Ａ６４には、注文者が領域を選択して文字を入力することができる。なお、日時等入力領域Ａ６４には、注文者に提示される時点で仮の内容が入力されているようにしてもよい。
【００７９】
第２印刷面データの入力が終わり、第２印刷面データが完成した後、注文者により入力内容を保存するための操作が行われる（第２印刷面データ完成、ステップＳ３２）。これは、保存領域Ａ５０が選択された場合に実施される。当該操作を受けて、受注者サーバー２は、第２印刷面データを格納する（第２印刷面データ格納、ステップＳ３４）。
ステップＳ３２，Ｓ３４は、第３工程で編集された第２印刷面データを受注者サーバー２に格納する第４工程である。当該第４工程は、第２格納手段３２を用いて実施することができる。
【００８０】
その後、注文者により第１印刷面データ及び第２印刷面データの内容を確定するか否かを確認し、いずれかを選択させる（確認、ステップＳ３６）。当該確認は、例えば、印刷面データが受注者サーバー２に格納されている状態でメニュー画面に戻った際に実施することができる。確定が選択された場合には、編集が終了する（編集終了、ステップＳ３８）とともに、受注者サーバー２に注文確定の指示が送られ、受注者サーバーに受注情報が記録される（受注、ステップＳ４０）。
印刷面データの内容を確定しなかった場合には、注文者により印刷面データの再編集や削除が行われる。
【００８１】
なお、完成した印刷面データに基づいて印刷を行い、その他必要な処理（裁断、製本等）を行うことで、ペーパーアイテムが完成する。完成したペーパーアイテムは、注文者に送付されるなどした後、結婚式等に用いられる。
【００８２】
３．実施形態１に係る印刷面データ作成システム、印刷面データ作成方法及び受注者サーバーの効果
以下、実施形態１に係る印刷面データ作成システム、印刷面データ作成方法及び受注者サーバーの効果について説明する。
【００８３】
実施形態１に係る印刷面データ作成システムによれば、注文者に自ら入力を行わせてペーパーアイテムの印刷面データを作成するため、注文者が考えた印刷面のデザインと完成したペーパーアイテムの印刷面のデザインとの差異により注文者の満足度が低くなることを防止することが可能となる。
【００８４】
また、実施形態１に係る印刷面データ作成システムによれば、注文者の手持ちのコンピューターである注文者コンピューター１を用いて印刷面データの作成を行うことができるため、営業所の訪問及び打ち合わせにかかる時間やコストを低減することが可能となる。
【００８５】
その結果、実施形態１に係る印刷面データ作成システムは、注文者が考えた印刷面のデザインと完成したペーパーアイテムの印刷面のデザインとの差異により注文者の満足度が低くなることを防止することが可能であり、かつ、営業所の訪問及び打ち合わせにかかる時間やコストを低減することが可能である印刷面データ作成システムとなる。
【００８６】
また、実施形態１に係る印刷面データ作成システムによれば、２以上の結婚式関連ペーパーアイテム間で共有される文字又は画像である共有表示要素について、第１印刷面データを作成する際に入力を行えば、第２印刷面データを作成する際には再度の入力を必要とせずに入力が行われた状態となるため、再度の入力の手間を省くことが可能となり、かつ、繰り返しの入力に起因する誤入力を抑制することが可能となる。
【００８７】
ところで、入力のための画面の表示と印刷面データから実際に印刷される印刷面とを厳密に一致させようとすると、段組やフォント等の関係から幅広い注文者コンピューターに対応することができなくなり、又は、入力のための画面の構成及びソフトウェアの構成の自由度が著しく低くなり、扱い難い印刷面データ作製システムとなってしまう場合がある。一方、実施形態１に係る印刷面データ作成システムによれば、受注者サーバー２は印刷面確認手段３４を備えるため、入力のための画面の表示と印刷面データから実際に印刷される印刷面とを厳密に一致させなくても、印刷面確認手段により実際の印刷面に即した出来上がりイメージを表示させることが可能となる。その結果、実施形態１に係る印刷面データ作製システムによれば、幅広い注文者コンピューターに対応可能であり、かつ、入力のための画面の構成及びソフトウェアの構成の自由度が著しく低くなることを防止可能であり、その結果、扱い難い印刷面データ作製システムとなってしまうことを抑制することが可能となる。
【００８８】
また、実施形態１に係る印刷面データ作成システムによれば、第１のペーパーアイテムは席次表であり、第１領域に表示させる共有表示要素は出席者の氏名であるため、繰り返し入力することが煩雑である出席者の氏名について、席次表について入力する一度の入力で済ませることが可能となる。
【００８９】
また、実施形態１に係る印刷面データ作成システムによれば、第２のペーパーアイテムは席札であるため、卓ごとに氏名を入力する必要がない席札を後で作成することにより、共有表示要素である氏名の入力を効率的に行うことが可能となる。
【００９０】
また、実施形態１に係る印刷面データ作成システムによれば、第１領域は席次表における卓の配置に対応して卓ごとに分割されているため、氏名の入力及び表示を卓ごとに行うことが可能となる。
【００９１】
また、実施形態１に係る印刷面データ作成システムによれば、第１基本レイアウトは、卓の配置を決定する情報が入力される卓配置情報入力領域をさらに有し、第１印刷面データ作成手段２４は、卓配置情報入力領域に卓の配置を決定する情報を前記注文者に入力させるため、席次表に表示する卓の配置を結婚式における卓の配置に対応させることが可能となり、かつ、結婚式の卓の配置についても受注者と打ち合わせ等を行うことなく決定することが可能となる。
【００９２】
また、実施形態１に係る印刷面データ作成システムによれば、第１印刷面データ作成手段２４では、まず、卓配置情報入力領域に１つの列又は１つの行における卓の最大数を注文者に入力させ、その後、卓配置情報入力領域にそれぞれの列又はそれぞれの行ごとの卓の数を注文者に入力させるため、シンプルな方法で卓の配置を決定することが可能となる。
【００９３】
実施形態１に係る印刷面データ作成方法によれば、注文者に自ら入力を行わせてペーパーアイテムの印刷面データを作成するため、注文者が考えた印刷面のデザインと完成したペーパーアイテムの印刷面のデザインとの差異により注文者の満足度が低くなることを防止することが可能となる。
【００９４】
また、実施形態１に係る印刷面データ作成方法によれば、注文者の手持ちのコンピューターである注文者コンピューター１を用いて印刷面データの作成を行うことができるため、営業所の訪問及び打ち合わせにかかる時間やコストを低減することが可能となる。
【００９５】
その結果、実施形態１に係る印刷面データ作成方法は、注文者が考えた印刷面のデザインと完成したペーパーアイテムの印刷面のデザインとの差異により注文者の満足度が低くなることを防止することが可能であり、かつ、営業所の訪問及び打ち合わせにかかる時間やコストを低減することが可能である印刷面データ作成方法となる。
【００９６】
また、実施形態１に係る印刷面データ作成方法によれば、２以上の結婚式関連ペーパーアイテム間で共有される文字又は画像である共有表示要素について、第１印刷面データを作成する際に入力を行えば、第２印刷面データを作成する際には再度の入力を必要とせずに入力が行われた状態となるため、再度の入力の手間を省くことが可能となり、かつ、繰り返しの入力に起因する誤入力を抑制することが可能となる。
【００９７】
実施形態１に係る受注者サーバー２は、上記の印刷面データ作成システム及び印刷面データ作成方法に用いることが可能な受注者サーバーとなる。
【００９８】
［実施形態２］
図６は、実施形態２において第１印刷面データを作成する場合に注文者コンピューター１に表示される画面の例を示すものである。
実施形態２に係る印刷面データ作成システムは、基本的には実施形態１に係る印刷面データ作成システムと同様の構成を有するが、第１基本レイアウトにおける保存領域及びプレビュー表示領域の位置が異なる。すなわち、実施形態２の第１基本レイアウトにおいては、図６に示すように、卓配置情報入力領域（第３表示領域Ａ３に含まれる総列数入力領域Ａ３０、１列目卓数入力領域Ａ３２、２列目卓数入力領域Ａ３４、３列目卓数入力領域Ａ３６及び４列目卓数入力領域Ａ３８）、共有表示要素入力領域（入力領域Ａ４０）、保存領域Ａ５０ａ及びプレビュー表示領域Ａ１２ａは、この順序で縦列に配置されている。
【００９９】
実施形態２における第１表示領域Ａ１ａは、プレビュー表示領域が存在しない点以外は実施形態１における第１表示領域Ａ１と同様である。
実施形態２における第５表示領域Ａ５ａは、保存領域の位置が異なる点及びプレビュー表示領域が存在する点以外は、実施形態１における第５表示領域Ａ５と同様である。
【０１００】
なお、卓配置情報入力領域、共有表示要素入力領域、保存領域Ａ５０ａ及びプレビュー表示領域Ａ１２ａについては、それぞれ実施形態１における同名の領域と同様の機能を有する領域であるため、説明を省略する。
また、第１のペーパーアイテムは席次表であること、第１領域に表示させる共有表示要素が出席者の氏名であること、及び、第１領域が席次表における卓の配置に対応して卓ごとに分割されていることについては、実施形態１で説明した事項であるため、説明を省略する。
【０１０１】
実施形態２に係る印刷面データ作成システムは、実施形態１に係る印刷面データ作成システムとは第１基本レイアウトにおける保存領域及びプレビュー表示領域の位置が異なるが、実施形態１に係る印刷面データ作成システムと同様に、注文者に自ら入力を行わせてペーパーアイテムの印刷面データを作成し、かつ、注文者の手持ちのコンピューターである注文者コンピューター１を用いて印刷面データの作成を行うことができるため、注文者が考えた印刷面のデザインと完成したペーパーアイテムの印刷面のデザインとの差異により注文者の満足度が低くなることを防止することが可能であり、かつ、営業所の訪問及び打ち合わせにかかる時間やコストを低減することが可能である印刷面データ作成システムとなる。
【０１０２】
また、実施形態２に係る印刷面データ作成システムによれば、卓配置情報入力領域（第３表示領域Ａ３に含まれる総列数入力領域Ａ３０、１列目卓数入力領域Ａ３２、２列目卓数入力領域Ａ３４、３列目卓数入力領域Ａ３６及び４列目卓数入力領域Ａ３８）、共有表示要素入力領域（入力領域Ａ４０）、保存領域Ａ５０ａ及びプレビュー表示領域Ａ１２ａは、この順序で縦列に配置されているため、領域が配置されている順番どおりに入力及び選択を行うことで、印刷面データの作成をスムーズに進めることが可能となる。
【０１０３】
なお、実施形態２に係る印刷面データ作成システムは、第１基本レイアウトにおける保存領域及びプレビュー表示領域の位置が異なる点以外は実施形態１に係る印刷面データ作成システムと同様の構成を有するため、実施形態１に係る印刷面データ作成システムと同様の効果も有する。
【０１０４】
以上、本発明の印刷面データ作成システム、印刷面データ作成方法及び受注者サーバーを、各実施形態に基づいて説明したが、本発明はこれに限定されるものではない。本発明はその要旨を逸脱しない範囲において実施することが可能であり、例えば、次のような変形も可能である。
【０１０５】
（１）上記実施形態２においては、卓配置情報入力領域、共有表示要素入力領域、保存領域Ａ５０ａ及びプレビュー表示領域Ａ１２ａは、この順序で縦列に配置されているが、本発明はこれに限定されるものではない。卓配置情報入力領域、共有表示要素入力領域、保存領域Ａ５０ａ及びプレビュー表示領域Ａ１２ａは、この順序で横列に配置されていてもよい。
【０１０６】
（２）図７は、変形例１において第１印刷面データを作成する場合に注文者コンピューター１に表示される画面の例を示すものである。図８は、変形例２において第１印刷面データを作成する場合に注文者コンピューター１に表示される画面の例を示すものである。本発明における第１基本レイアウトは、図７及び図８に示すように、第１レイアウトにおける出席者の肩書を記載する領域（肩書入力領域Ａ４２）の表示の要否を決定する情報が入力される肩書要否入力領域Ａ４４を有していてもよい。なお、図７及び図８においては、肩書要否入力領域Ａ４４はチェックボックス式のものとなっているが、本発明はこれに限定されるものではなく、肩書の表示の要否を決定する情報が入力可能な形式のものであればよい。
【０１０７】
（３）第１基本レイアウトが肩書要否入力領域Ａ４４を有する場合には、図８に示すように、卓配置情報入力領域（総列数入力領域Ａ３０、１列目卓数入力領域Ａ３２、２列目卓数入力領域Ａ３４、３列目卓数入力領域Ａ３６及び４列目卓数入力領域Ａ３８）、肩書要否入力領域Ａ４４、共有表示要素入力領域（入力領域Ａ４０）、保存領域Ａ５０ａ及びプレビュー表示領域Ａ１２ａは、この順序で縦列又は横列に配置されていることが好ましい。このようにすることで、肩書要否入力領域が存在する場合であっても、領域が配置されている順番どおりに入力及び選択を行うことで、印刷面データの作成をスムーズに進めることが可能となる。
【符号の説明】
【０１０８】
１…注文者コンピューター、２…受注者サーバー、１０…第１送受信手段、１２…表示手段、１４…操作手段、２０…第２送受信手段、２２…第１基本レイアウト記憶手段、２４…第１印刷面データ作成手段、２６…第１格納手段、２８…第２基本レイアウト記憶手段、３０…第２印刷面データ作成手段、３２…第２格納手段、３４…印刷面確認手段、Ａ１…第１表示領域、Ａ１０…作成対象表示領域、Ａ１２…プレビュー表示領域、Ａ２…第２表示領域、Ａ２０…卓表示領域、Ａ２１，Ａ２２…家名入力領域、Ａ２３…タイトル入力領域、Ａ２４…新郎名入力領域、Ａ２５…新婦名入力領域、Ａ２６…日時場所入力領域、Ａ３…第３表示領域、Ａ３０…総列数入力領域、Ａ３２…１列目卓数入力領域、Ａ３４…２列目卓数入力領域、Ａ３６…３列目卓数入力領域、Ａ３８…４列目卓数入力領域、Ａ４…第４表示領域、Ａ４０…入力領域、Ａ４１…氏名入力領域、Ａ４２…肩書入力領域、Ａ４３…敬称入力領域、Ａ５…第５表示領域、Ａ５０…保存領域、Ａ５２，Ａ５４…編集切り替え領域、Ａ６…第６表示領域、Ａ６０…席札表示領域、Ａ６２…氏名表示領域、Ａ６４…日時等入力領域、ｉ…インターネット
【図１】
2018092268.tif 000003
【図２】
2018092268.tif 000004
【図３】
2018092268.tif 000005
【図４】
2018092268.tif 000006
【図５】
2018092268.tif 000007
【図６】
2018092268.tif 000008
【図７】
2018092268.tif 000009
【図８】
2018092268.tif 000010